(57)【要約】【課題】本発明は、エイズ特効薬の過不足通知システムとエイズ特効薬過不足情報通知のための携帯端末及びソフトウェアの開発と販売し、エイズを撲滅することを課題とする。【手段】本ビジネスシステムでは、これまで製薬会社の特許権によって販売が抑制され、高価になったためにコピー薬を買えなかった貧困地域からのエイズの耐性ウィルスを予防するため、ソフトウェア開発及びサービス情報と株式によって利益を得、貧困地域のエイズ特効薬の情報を販売し、本情報サービス及び携帯端末を利用する貧困地域の人には、無償でコピー薬自体を配布できるようにし、エイズ特効薬の過不足の情報とそれを探知する情報端末を販売する。【選択図】図１
2007026399.tif 000002
【特許請求の範囲】
【請求項１】
エイズウィルス（ＨＩＶ）の新薬（以下エイズ特効薬と呼ぶ）を発明した研究機関と、新薬の化学式に基づきコピー薬を製造する製薬会社が提供する特効薬を、上記エイズ特効薬使用者が、携帯端末（パソコン、携帯電話など）を利用して、サーバーを使用し、即時に特効薬の不足を通知し、下記の通り、配給の遅滞する箇所を即時にエイズ特効薬過不足通知情報サービスシステムを使用し、携帯端末（パソコンや携帯電話など）から通知があった場合に、注文を受けたエイズ特効薬を製薬する会社や研究機関が薬局に卸売り、インターネットを通じて、エイズ特効薬の不足箇所とを匿名のまま、匿名でも登録できるよう、下記のように、法律上の守秘義務を遵守する医院にのみ、携帯端末（パソコンや携帯電話など）を販売し、個人情報を入力せずとも、上記医院の認定があれば得られる、独自のメールアドレスの使用権利を販売し、そのメールアドレスを使用して、自己の名前、住所などの個人情報を通知せず、エイズ特効薬販売会社及び医療機関や薬局にエイズ特効薬の不足を通知し、供給を受けることを可能にするエイズ特効薬不足通知情報サービス及び、秘匿、匿名であることの不正使用を防ぎ、過剰の注文や横流しを防止するため、ＷＷＷ（ワールド・ワイド・ウェブ）を利用せず、新規のソフトウェアを開発し、そのエイズ特効薬過不足情報通知システムを起動させる専用のソフトウェアを用い、エイズ特効薬過不足探知情報サービスに特化した携帯端末（パソコンや携帯電話など）を、法律上の守秘義務を遵守する医院と特約し、ソフトウェアと携帯端末（パソコンや携帯電話など）を販売し、ソフトウェア発明の権利及び販売の権利を有したまま、上記の法律上の守秘義務を遵守する医院と特約する権利を有し、一度卸売りしたエイズ特効薬を不足箇所に流通させ、エイズ特効薬の流通情報をインターネット上で即時開示する一括的な流通を管理し、エイズ特効薬の過不足情報を提供し、新規のソフトウェアと携帯端末（パソコンや携帯電話など）を用いて、エイズ特効薬を発明した研究機関とエイズ特効薬を製薬する機関及びソフトウェアを開発するソフトウェア製造者の三者を連帯させ、エイズの特効薬を、効率よく、且、耐性ウィルスを予防しながら流通させるための情報ネットワークのビジネスモデルである。
【請求項２】
請求項１のエイズ特効薬の過不足情報を追跡する情報技術を用いて、貧困地域に置いてコピー薬を無償で配布し、コピー薬の生産抑制を防ぎ、耐性ウィルスの発生を防ぐため、エイズ特効薬の過不足の情報を送受信するための新規ソフトウェア及びそのソフトウェアに置いて起動する携帯端末の販売する権利を保有すして請求項１の情報技術を頒布するビジネスモデルである。
【発明の詳細な説明】
【技術分野】
【０００１】    本発明は、エイズ特効薬の過不足を即時に通知し、需用者と供給者との間の秘匿名情報をやりとりするコンピュータ言語とインターネットを起動するエイズ特効薬過不足情報通知システム専用のソフトウェアを開発しそのソフトウェアを使用した情報サービスを用いて、エイズ特効薬の需要供給を潤滑にするビジネスシステムに関するものである。
【背景技術】
【０００２】    製薬会社と研究機関のビジネスモデルはエイズ特効薬の特許権の売り買いであり、製薬会社はエイズ特効薬のコピー薬の販売によって利益を上げるためにエイズ特効薬のコピー薬自体を仲買人に売り、仲買人は医院を経由して患者にコピー薬を販売している。
【発明の開示】
【発明が解決しようとする課題】
【０００３】    エイズウィルスの特効薬とその流通には次のような問題点があった。
エイズウィルスの特効薬は研究機関によって多数開発されているが、製薬会社は、エイズ特効薬販売の特許権を買うことによって、エイズ特効薬のコピー薬製造を抑止し、コピー薬を無償で手に入れられず死亡したり、エイズウィルスの自然的な遺伝情報の変化しやすさのために、耐性ウィルスが出来、エイズの撲滅が出来なかった。
本発明は、以上の問題点を解決し、エイズ特効薬の需用者の情報を匿名のまま把握し、エイズ特効薬を即時に卸売りし、株式によってコピー薬の利益の遣り取りをするために、仲買人が高価になったエイズ特効薬のコピー薬を買い控えるのを防止し、研究機関と製薬会社と仲買人のネットワーク及びに患者と医院が直接的にエイズ特効薬の過不足を申請できる情報ネットワークを実現するビジネスモデルである。
【課題を解決するための手段】
【０００４】    本ビジネスシステムでは、これまで製薬会社の特許権によって仲買人が買い控えをし、販売が抑制され、エイズ特効薬のコピー薬が高価になったために、コピー薬を買えなかった貧困地域においてエイズの耐性ウィルスが発生するのを予防するために、エイズ特効薬自体は無償にし、エイズの過不足を情報化し、その情報を遠隔地域に置いて遣り取りするソフトウェアを開発し、そのソフトウェアによって起動する携帯端末（パソコンや携帯電話など）を先進国などの富裕地域に置いて、エイズ被害が深刻になっている事実を鑑み、国際連合や先進国などの国家、及びに先進国の企業を仲買人とし、エイズの過不足情報を提供するネットワークを閲覧できるソフトウェア及びに携帯端末（パソコンや携帯電話など）を購入し、情報ネットワークサービスの運用により、エイズ特効薬の情報を販売し、エイズの過不足情報を提供するネットワークを閲覧できるソフトウェア及びに携帯端末（パソコンや携帯電話など）を利用する貧困地域の医院を経由して、患者には無償でエイズ特効薬のコピー薬を配布できるようにする情報ネットワークのビジネスモデルである。
本発明は、以上の構成よりなる世界的にエイズを撲滅するための合理的なビジネスモデルである。
【発明の効果】
【０００５】    本発明のビジネスモデルを使用することにより、既存のエイズ特効薬のビジネスモデルでは製薬会社が特許権を利用し、販売を抑制したために高価になったコピー薬を使用できずにエイズが蔓延していた貧困地域からのエイズの耐性ウィルスの流入を予防し、エイズ特効薬の過不足情報通知システムとその端末を売るため、エイズ特効薬のコピー薬自体は無償にすることを可能にし、貧困地域からエイズの耐性ウィルスが流入していることから、国際連合のＷＨＯなど、先進国が協力してエイズの撲滅を可能にするビジネスモデルである。
【発明を実施するための最良の形態】
【０００６】    以下、本発明の実施の形態を説明する。
本ビジネスシステムでは、エイズ特効薬を開発した研究機関（１）と製薬会社（２）とが連携してエイズ特効薬のコピー薬を作る際に、特許権は研究機関が保持したまま、製薬会社の株式を譲渡する事で相互に報酬を得る株式報酬制を導入する。エイズ特効薬過不足通知システムである情報ネットワーク（３）及びエイズ特効薬過不足情報通知携帯端末が起動するためのソフトウェア（４）を開発する株式会社を設立することによって、コピー薬を株式の利益によって遣り取りする。既存のエイズ特効薬のビジネスモデルでは、製薬会社が特許権を利用し、販売を抑制したために、仲買人（５）が高価になったコピー薬を買わず、医院（６）が処方しても、患者（７）が購入できず、エイズの耐性ウィルスが蔓延していたが、コピー薬自体をほぼ無償で頒布し、貧困地域からのエイズの耐性ウィルスの発生を予防し、エイズウィルスが、国境を越えて先進国へ流入している事実を鑑み、先進国自体が、ソフトウェア及び携帯端末の販売先として見込め、その購入によって、エイズ特効薬のコピー薬自体を無償にすることを可能にし、医院（６）と情報ネットワーク（３）及び、患者（７）と情報ネットワーク（７）が仲買人（５）が購入した携帯端末を利用して情報を遣り取りでき、貧困地域からエイズの耐性ウィルスが流入している事実を鑑みると、国際連合やその一組織であるＷＨＯなどが仲買人（５）として、コピー薬を頒布させると共に、先進国が協力してエイズの撲滅を可能にするために、エイズの過不足の情報をネットワークとして提供するビジネスモデルである。
本発明は、以上の構成よりなる。
本発明を使用する場合は、エイズ特効薬を発明した研究機関との連携、エイズ特効薬過不足情報通知システム及びエイズ特効薬過不足情報通知携帯端末を販売する株式会社の設立、貧困地域へのコピー薬の無償配布、無償配布をするための国際連合及び、エイズ問題が深刻化しつつある先進国やその先進国にある企業との連携によって、エイズ問題を解決することが出来るビジネスシステムである。
【図面の簡単な説明】
【０００７】
【図１】本発明のビジネスモデル図
【符号の説明】
【０００８】    （１）研究機関、（２）製薬会社、（３）情報ネットワーク、（４）ソフトウェア、（５）仲買人、（６）医院、（７）患者
【図１】
2007026399.tif 000003